(57)【要約】  ガラス基板などのディスプレイ用部材の表面に汚れが付着し、傷が付くことを確実に防止して当該ディスプレイ用部材を保管し、搬送することができるディスプレイ用部材搬送ケースを提供する。  六面体状をなし、一対の側面間に横架された線状体と、他の一対の側面のいずれかに設けられてディスプレイ用部材を内側に挿入させるための挿入口と、を具備し、挿入されたディスプレイ用部材を線状体上に直接的又は間接的に載置させてディスプレイ用部材を支持するディスプレイ用部材搬送ケースは、ディスプレイ用部材の挿入方向前端縁を押止する第１押え部材と、ディスプレイ用部材の両側縁をそれぞれ把持する複数の把持部材と、挿入口に開閉可能に設けられ、閉じられることによりディスプレイ用部材の挿入方向後端縁に当接して第１押え部材との間でディスプレイ用部材を挟持する第２押え部材と、を備える。
2008041711.tif 000002
【特許請求の範囲】
【請求項１】
六面体状をなし、
一対の側面間に横架された線状体若しくは帯状体と、他の一対の側面のいずれかに設けられてディスプレイ用部材を内に挿入させるための挿入口と、を具備し、
挿入された前記ディスプレイ用部材を前記線状体若しくは前記帯状体上に直接的又は間接的に載置させて当該ディスプレイ用部材を支持するディスプレイ用部材搬送ケースであって、
前記ディスプレイ用部材の挿入方向前端縁を押止する第１押え部材と、
前記ディスプレイ用部材の両側縁をそれぞれ把持する複数の把持部材と、
前記挿入口に開閉可能に設けられ、閉じられることにより前記ディスプレイ用部材の挿入方向後端縁に当接して前記第１押え部材との間で前記ディスプレイ用部材を挟持する第２押え部材と、
を備えたことを特徴とするディスプレイ用部材搬送ケース。
【請求項２】
前記ディスプレイ用部材が載置される前記帯状体の載置面に複数の突起が設けられていることを特徴とする請求項１に記載のディスプレイ用部材搬送ケース。
【請求項３】
前記把持部材が、膨張収縮可能であって、膨張して前記ディスプレイ用部材の側縁を把持することを特徴とする請求項１又は請求項２に記載のディスプレイ用部材搬送ケース。
【請求項４】
前記把持部材が、移動可能であって、前記ディスプレイ用部材に押し付けられることによってディスプレイ用部材の側縁を把持することを特徴とする請求項１又は請求項２に記載のディスプレイ用部材搬送ケース。
【請求項５】
接地面に除振機構を備えたことを特徴とする請求項１〜請求項４のいずれかに記載のディスプレイ用部材搬送ケース。
【請求項６】
前記把持部材が、線状体若しくは帯状体が横架されている一対の側面にそれぞれ設けられていることを特徴とする請求項１〜請求項５のいずれかに記載のディスプレイ用部材搬送ケース。
【発明の詳細な説明】
【技術分野】
【０００１】
本発明は、液晶ディスプレイ等に用いられるガラス基板や当該ガラス基板に偏光膜などを組み合わせてなるパネル等のディスプレイ用部材を保管し、搬送する際に用いられるディスプレイ用部材搬送ケースに関する。
【背景技術】
【０００２】
近年のディスプレイの大型化に伴い、これに用いられるガラス基板も、２１６０×２４００ｍｍ２の第８世代、そして２４００×２８００ｍｍ２の第９世代へと大型化が進んでいる。【０００３】
従来、ガラス基板の表面を合紙やフィルム等で被覆し、保管・搬送中にガラス基板の表面に汚れが付着し、傷が付くことを防止するようにしていたが、上述した通りのガラス基板の大型化により、合紙やフィルムを剥離する際に静電気の発生が著しく、また、剥離された合紙やフィルムの処理にも労力を要する。【０００４】
そこで、立方体型フレームの左右面間に、金属ワイヤー、針金、合成樹脂繊維製細紐、等の線状体を載架用横桟として横方向に張設して、当該載架用横桟にガラス基板を載架するようにした搬送ケースが提案されている（例えば特許文献１参照）。【０００５】
特許文献１に開示された搬送ケースでは、載架用横桟を線状体とすることでガラス基板との接触を少なくし、さらには耐久性、耐熱性、耐薬品性、等の諸特性に優れ、ノンスリップ特性を備えるポリエーテルエーテルケトンなどのスーパーエンジニアリングプラスチックで線状体を被覆して、ガラス基板の表面に汚れが付着し、傷が付くことを防止している。【０００６】
【特許文献１】特開２００１−３１５７７１号公報
【発明の開示】
【発明が解決しようとする課題】
【０００７】
ガラス基板を収容した搬送ケースは、他の製造ラインあるいは他の工場へ搬送される際に、一般には車両により搬送される。よって、搬送ケースに振動が作用する可能性がある。ここで、上記特許文献１に開示された搬送ケースでは、ガラス基板は載架用横桟である線状体に載架されているのみで、水平方向及び上方向へのガラス基板の変位を規制する手段は何ら講じられていない。【０００８】
そのため、上記特許文献１に開示された搬送ケースでは、搬送ケースに振動が作用した際にガラス基板が線状体上を摺動し、あるいは跳ねる可能性があり、それにより、ガラス基板の表面に傷が付く虞がある。尚、線状体がノンスリップ特性を備えたスーパーエンジニアリングプラスチックで被覆されているとはいえ、搬送ケースに過大な振動が作用した際にまでガラス基板が変位しないことを保証し得るものではない。【０００９】
本発明は、上述した課題に鑑みてなされたものであり、ガラス基板などのディスプレイ用部材の表面に汚れが付着し、傷が付くことを確実に防止して当該ディスプレイ用部材を保管し、搬送することができるディスプレイ用部材搬送ケースを提供することを目的とする。
【課題を解決するための手段】
【００１０】
上述した目的は、本発明に係る下記（１）〜（５）のディスプレイ用部材搬送ケースにより達成される。【００１１】
（１）六面体状をなし、一対の側面間に横架された線状体若しくは帯状体と、他の一対の側面のいずれかに設けられてディスプレイ用部材を内に挿入させるための挿入口と、を具備し、挿入された前記ディスプレイ用部材を前記線状体若しくは前記帯状体上に直接的又は間接的に載置させて当該ディスプレイ用部材を支持するディスプレイ用部材搬送ケースであって、前記ディスプレイ用部材の挿入方向前端縁を押止する第１押え部材と、前記ディスプレイ用部材の両側縁をそれぞれ把持する複数の把持部材と、前記挿入口に開閉可能に設けられ、閉じられることにより前記ディスプレイ用部材の挿入方向後端縁に当接して前記第１押え部材との間で前記ディスプレイ用部材を挟持する第２押え部材と、を備えたことを特徴とするディスプレイ用部材搬送ケース。
（２）前記ディスプレイ用部材が載置される前記帯状体の載置面に複数の突起が設けられていることを特徴とする上記（１）のディスプレイ用部材搬送ケース。
（３）前記把持部材が、膨張収縮可能であって、膨張して前記ディスプレイ用部材の側縁を把持することを特徴とする上記（１）又は（２）のディスプレイ用部材搬送ケース。
（４）前記把持部材が、移動可能であって、前記ディスプレイ用部材に押し付けられることによってディスプレイ用部材の側縁を把持することを特徴とする上記（１）又は（２）のディスプレイ用部材搬送ケース。
（５）接地面に除振機構を備えたことを特徴とする上記（１）〜（４）のいずれかのディスプレイ用部材搬送ケース。
（６）前記把持部材が、線状体若しくは帯状体が横架されている一対の側面にそれぞれ設けられていることを特徴とする上記（１）〜（５）のいずれかのディスプレイ用部材搬送ケース。
【発明の効果】
【００１２】
本発明によれば、六面体状をなす搬送ケースの一対の側面間に横架された線状体若しくは帯状体上に載置させてディスプレイ用部材を支持しており、よって、線状体若しくは帯状体とディスプレイ用部材との接触は少なく抑えられている。そして、線状体若しくは帯状体上に載置されたディスプレイ用部材は、複数の把持部材により両側縁を把持され、さらに搬送ケースへの挿入方向に第１押え部材と第２押え部材とにより挟持されており、ディスプレイ用部材は水平方向及び上方向への変位を規制されているので、搬送ケースに振動が作用した際にも、ディスプレイ用部材が線状体若しくは帯状体上を摺動し、あるいは跳ねることが確実に防止される。これにより、ディスプレイ用部材の表面に汚れが付着し、傷が付くことを確実に防止することができる。【００１３】
そして、ディスプレイ用部材が載置される部材を帯状体とする場合に、帯状体の載置面に複数の突起を設けるのが好ましい。これによれば、ディスプレイ用部材との接触を最小限に抑えることができ、ディスプレイ用部材の表面に汚れが付着し、傷が付くことを確実に防止することができる。【００１４】
また、把持部材を膨張収縮可能として膨張することによってディスプレイ用部材の側縁を把持するよう構成することができる。把持部材を収縮させれば、ディスプレイ用部材の側縁を容易に解放することができ、それにより、ディスプレイ用部材を搬送ケースから容易に取り出すことができる。【００１５】
あるいは、把持部材を移動可能としてディスプレイ用部材に押し付けられることによってディスプレイ用部材の側縁を把持するよう構成することもできる。ディスプレイ用部材に押し付けられる方向とは逆方向に把持部材を移動させれば、ディスプレイ用部材の側縁を容易に解放することができ、それにより、ディスプレイ用部材を搬送ケースから容易に取り出すことができる。【００１６】
また、搬送ケースの接地面に除振機構を備えれば、線状体若しくは帯状体上に載置されたディスプレイ用部材に作用する振動を減衰させることができる。
【図面の簡単な説明】
【００１７】
【図１】本発明のディスプレイ用部材搬送ケースの１実施形態を示す斜視図である。
【図２】図１において一点鎖線円ＩＩで囲まれる部分を拡大して示す要部斜視図である。
【図３】図１において一点鎖線円ＩＩＩで囲まれる部分を拡大して示す要部斜視図である。
【図４】図１のディスプレイ用部材搬送ケースの変形例に係り、当該ディスプレイ用部材搬送ケースに適用され得る帯状体の一例を示す斜視図である。
【図５】図１のディスプレイ用部材搬送ケースの変形例に係り、当該ディスプレイ用部材搬送ケースに適用され得る把持部材の一例を示す断面図である。
【符号の説明】
【００１８】
１    ディスプレイ用部材搬送ケース
２    ディスプレイ用部材
３    パレット
１１  フレーム材
１２  フレーム材
１３  線状体
１４  挿入口
１５  第１押え部材
１６  把持部材
１７  ガイドレール
２０  第２押え部材
２２  除震機構
【発明を実施するための最良の形態】
【００１９】
以下、図面を参照して、本発明に係るディスプレイ用部材搬送ケースの一実施形態を詳細に説明する。【００２０】
図１は、本発明に係るディスプレイ用部材搬送ケースの一実施形態の斜視図、図２は図１における一点鎖線円ＩＩで囲まれた部分の拡大斜視図、図３は図１における一点鎖線円ＩＩＩで囲まれた部分の拡大斜視図である。また、図４は図１のディスプレイ用部材搬送ケースの変形例に係り、当該ディスプレイ用部材搬送ケースに適用され得る帯状体の一例を示す斜視図、図５は図１のディスプレイ用部材搬送ケースの変形例に係り、当該ディスプレイ用部材搬送ケースに適用され得る把持部材の一例を示す断面図である。【００２１】
図１に示すように、本実施形態のディスプレイ用部材搬送ケース１は、液晶ディスプレイ等に用いられるガラス基板や当該ガラス基板に偏光膜などを組み合わせてなるパネル等の矩形板状のディスプレイ用部材２を収容して、これを保管・搬送するためのものであり、全体として六面体である直方体状若しくは立方体状をしている。【００２２】
搬送ケース１の一対の側面は、鉛直方向に延在する棒状のフレーム材１１が水平方向に整列して複数配設されると共に水平方向に延在する棒状のフレーム材１２が鉛直方向に整列して複数配設され、これら複数のフレーム材１１，１２が格子状に組まれて構成されている。【００２３】
上記一対の側面において互いに対向する格子点（フレーム材１１及びフレーム材１２の交点）の間には、それぞれ線状体１３が横架されている。線状体１３は、鉛直方向に複数段配設され、各段毎に水平方向に整列して複数配設されている。【００２４】
搬送ケース１は、全部で４つの側面のうち、線状体１３が横架された前記一対の側面に対して直角に配設された、もう一対の側面のいずれか一方に挿入口を備える。挿入口が設けられる側面は、当該側面の輪郭を構成するよう２本の鉛直なフレーム材１１及び２本の水平なフレーム材１２が矩形枠状に組まれて構成されており、そして、この枠の内側が挿入口１４とされている。ディスプレイ用部材２は、挿入口１４を通して搬送ケース１内に水平に挿入され、同一段にある複数の線状体１３上に載置される。【００２５】
ここで、線状体１３としては、金属製のワイヤーを芯材とし、これをウレタンゴムなどで被覆したものを例示することができる。尚、被覆材は上記のものに限られず、耐摩擦性、衝撃吸収性、防汚性、等の諸特性に優れる材料から適宜選択される。これによれば、線状体１３と接触するディスプレイ用部材２の表面に汚れが付着し、傷が付くことが防止される。【００２６】
さらに、搬送ケース１は、挿入口１４が設けられた側面と対となる側面にディスプレイ用部材２の挿入方向前端縁を押止する第１押え部材を備える。第１押え部材が設けられる側面は、当該側面の輪郭を構成するよう２本の鉛直なフレーム材１１及び２本の水平なフレーム材１２が矩形枠状に組まれ、これら２本の水平なフレーム材１２間に架け渡された複数のフレーム材１５で構成されており、そして、これらのフレーム材１５が第１押え部材とされている。ディスプレイ用部材２は、第１押え部材１５に当接するに到るまで搬送ケース１内に水平に挿入され、線状体１３上に載置される。【００２７】
ここで、ディスプレイ用部材２の前端縁に接触する第１押え部材１５の接触面は、耐摩擦性、衝撃吸収性、防汚性、等の諸特性に優れる材料により覆われていることが好ましい。これによれば、ディスプレイ用部材２の前端縁に汚れが付着し、傷が付くことが防止される。【００２８】
また、搬送ケース１は、挿入されたディスプレイ用部材２の両側縁をそれぞれ把持する複数の把持部材１６を備える。図２に示すように、搬送ケース１の線状体１３が横架されている一対の側面には鉛直方向に延在するガイドレール１７がそれぞれ設けられている。把持部材１６は、ガイドレール１７に支持される基部１８と、この基部１８から搬送ケース１の内に向けて突出する挟持部１９とを有し、ガイドレール１７の長手方向に沿って移動可能に当該ガイドレール１７に支持されている。【００２９】
このように構成された把持部材１６は、２個一組となってディスプレイ用部材２の側縁を把持する。即ち、ディスプレイ用部材２の下側に配置される一方の把持部材１６は、その挟持部１９の上面が線状体１３と略同一高さに位置するように配置されており、ディスプレイ用部材２の上側に配置される他方の把持部材１６は、その挟持部１９とディスプレイ用部材２の下側に配置された把持部材１６の挟持部１９との間にディスプレイ用部材２の厚みよりも若干大きい隙間を置くように配置される。搬送ケース１内にディスプレイ用部材２が挿入されるに伴い両挟持部１９間の隙間にディスプレイ用部材２の側縁が挿入される。その後、ディスプレイ用部材２の上側に配置された把持部材１６がガイドレール１７に沿って下方に移動されることにより、この把持部材１６の挟持部１９はディスプレイ用部材２の表面に押し付けられる。このようにして、一組の把持部材１６は、それらの挟持部１９においてディスプレイ用部材２の側縁を上下に挟み込み、これを把持する。【００３０】
ここで、把持部材１６は、ポリエチレン、ポリプロピレン、ポリイミド、等の耐摩擦性、衝撃吸収性、防汚性、等の諸特性に優れる樹脂材料で形成されている。これによれば、把持部材１６と接触するディスプレイ用部材２の表面に汚れが付着し、傷が付くことが防止される。【００３１】
再び図１を参照して、搬送ケース１は、第１押え部材１５との間でディスプレイ用部材２を挟持する第２押え部材２０を備える。さらに図３を参照して、第２押え部材２０は、挿入口１４を画成する鉛直なフレーム材１１に沿って延在する帯板状の部材であり、蝶番２１を介して当該フレーム材１１に連結されて挿入口１４に開閉可能に設けられている。【００３２】
第１押え部材１５に当接するに到るまで搬送ケース１内に水平に挿入されて線状体１３上に載置されたディスプレイ用部材２は、その後端縁を挿入口１４の内側に位置させている。第２押え部材２０は、挿入口１４の一部を塞ぐように閉じられた状態で、ディスプレイ用部材２の後端縁に当接し、第１押え部材１５との間でディスプレイ用部材２を挟持する。【００３３】
ここで、ディスプレイ用部材２の後端縁に接触する第２押え部材２０の接触面は、耐摩擦性、衝撃吸収性、防汚性、等の諸特性に優れる材料により覆われていることが好ましい。これによれば、ディスプレイ用部材２の後端縁に汚れが付着し、傷が付くことが防止される。【００３４】
尚、搬送ケース１は、閉じられた第２押え部材２０をその状態に維持する適宜なロック手段を備えており、当該ロック手段により、第１押え部材１５及び第２押え部材２０によりディスプレイ用部材２が挟持された状態が維持されるようになっている。
なお、搬送ケース１の上部には、内部に挿入されたディスプレイ用部材２に上方から粉塵や物などが及ぶのを防止するために、例示するように保護カバーを設けることが好ましい。【００３５】
さらに、図１に示すように、搬送ケース１は、その接地面に除振機構２２を備える。ここで、搬送ケース１の接地面は搬送ケース１の底部で直接又は間接に接地する部分をいう。除震機構２２としては、ゴムダンパーを用いたものや、ベアリングを用いたものなどを例示することができる。尚、図１において符号３で示される部材は、フォークリフト等による搬送時に用いられるパレットであり、搬送ケース１はこのパレット３上に載置されている。【００３６】
以上のように構成された搬送ケース１よれば、六面体状をなす搬送ケースの一対の側面間に横架された線状体１３上に載置させてディスプレイ用部材２を支持しており、よって、線状体１３とディスプレイ用部材２との接触は少なく抑えられている。そして、線状体１３上に載置されたディスプレイ用部材２は、複数の把持部材１６により両側縁を把持され、さらに搬送ケース１への挿入方向に第１押え部材１５と第２押え部材２０とにより挟持されており、ディスプレイ用部材２は水平方向及び上方向への変位を規制されているので、搬送ケース１に振動が作用した際にも、ディスプレイ用部材２が線状体１３上を摺動し、あるいは跳ねることが確実に防止される。これにより、ディスプレイ用部材２の表面に汚れが付着し、傷が付くことを確実に防止することができる。【００３７】
また、把持部材１６を移動可能としてディスプレイ用部材２に押し付けられることによってディスプレイ用部材２の側縁を把持するよう構成しているので、ディスプレイ用部材２を取り出すにあたり、ディスプレイ用部材２に押し付けられる方向とは逆方向に把持部材１６を移動させれば、ディスプレイ用部材２の側縁を容易に解放することができ、ディスプレイ用部材２を搬送ケース１から容易に取り出すことができる。【００３８】
また、搬送ケース１の接地面に除振機構２２を備えたので、線状体１３上に載置されたディスプレイ用部材２に作用する振動を減衰させることができる。【００３９】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。【００４０】
例えば、上述した搬送ケース１において、線状体１３に替えて、線状体よりも幅広な帯状体を用いてもよい。その場合、図４に示すように、ディスプレイ用部材２が載置される帯状体２３の載置面２４に複数の突起２５が設けられるのが好ましい。ディスプレイ用部材２は、これらの突起２５によって支持され、帯状体２３とディスプレイ用部材２との接触を最小限に抑えることができる。これにより、ディスプレイ用部材２の表面に汚れが付着し、傷が付くことを確実に防止することができる。【００４１】
また、上述した搬送ケース１において、把持部材１６に替えて、図５に示す把持部材２６を用いてもよい。把持部材２６は、例えば塩化ビニルなどの耐摩擦性に優れる柔軟な素材からなり、ある程度形状を維持できるよう厚みなどを調整されて断面略コ字状の中空に成形されており、内部に気体若しくは液体が充填されることにより膨張し、また、充填された気体若しくは液体が排出されることにより収縮するようになっている。【００４２】
図５（ａ）に示す把持部材２６が収縮した状態で、断面コ字状に成形された把持部材２６の凹所２７にディスプレイ用部材２の側縁が挿入され、その後に把持部材２６の内部に気体若しくは液体が充填されることにより、把持部材２６は、図５（ｂ）に示すように膨張し、ディスプレイ用部材２の側縁を把持する。【００４３】
このように、把持部材２６を膨張収縮可能として膨張することによってディスプレイ用部材の側縁を把持するよう構成することにより、ディスプレイ用部材２を取り出すにあたり、内部の気体若しくは液体を取り出して把持部材２６を収縮させれば、ディスプレイ用部材２の側縁を容易に解放することができ、ディスプレイ用部材２を搬送ケース１から容易に取り出すことができる。
【産業上の利用可能性】
【００４４】
本発明の搬送ケースは、液晶ディスプレイ等に用いられるガラス基板や当該ガラス基板に偏光膜などを組み合わせてなるパネル等のディスプレイ用部材を保管し、搬送するのに好適である。
なお、２００６年１０月３日に出願された日本特許出願２００６−２７１８７１の明細書、特許請求の範囲、図面及び要約書の全内容をここに引用し、本発明の明細書の開示として、取り入れるものである。
【図１】
2008041711.tif 000003
【図２】
2008041711.tif 000004
【図３】
2008041711.tif 000005
【図４】
2008041711.tif 000006
【図５】
2008041711.tif 000007
【国際調査報告】
2008041711.tif 000008
2008041711.tif 000009
2008041711.tif 000010